(57)【特許請求の範囲】
【請求項１】
透明材料によって一体に形成された平板状の枠部と該枠部の内周縁に設けられた装置取付部とを有するブラケットと、
透明材料によって略矩形状に形成されると共に前記ブラケットの前面側に配置される平板状の前面パネルと、
スクリーン面を有し前記ブラケットの装置取付部に取り付けられる装置本体部とを備え、
前記前面パネルの後面は、前記装置本体部のスクリーン面に対向し赤外線吸収フィルムが貼付された貼付部と、その外周部の赤外線吸収フィルムが貼付されない枠状をした非貼付部とによって構成され、
前記前面パネルの非貼付部に前記ブラケットの装置取付部を遮蔽する遮蔽層を形成し、
前記遮蔽層にリモートコントロール装置から発光される赤外光が透過される透過孔を形成し、
前記透過孔の後方に位置する部分に、前記赤外光を受光する受光部が配置された
ことを特徴とする平面型画像表示装置。
【発明の詳細な説明】
【０００１】
【発明の属する技術分野】
本発明は平面型画像表示装置に関する。詳しくは、良好なデザイン性を維持した上でリモートコントロール装置による操作を可能とする技術分野に関する。
【０００２】
【従来の技術】
スクリーンに画像を表示する平面型画像表示装置には、例えば、スクリーンとしてプラズマディスプレイパネル（ＰＤＰ）等を用いたものがある。
【０００３】
平面型画像表示装置にあっては、外光の反射防止、不要輻射の防止、高温化の防止等を図るためにスクリーンに各種の機能を有する膜（フィルター）が貼付されている。例えば、スクリーンの全面に反射防止フィルムと赤外線吸収フィルムとが積層状に貼付され、または、スクリーンの全面に外光の反射防止機能と赤外線吸収機能の双方の機能を有する兼用の機能膜が貼付されている。
【０００４】
平面型画像表示装置は、一般に、ベズルと称される枠部に囲われるようにしてスクリーンが配置されており、リモートコントロール装置から発光される赤外光を受光する受光部がベズルの内部に設けられている。
【０００５】
ところで、平面型画像表示装置にあっては、上記したベズルにスクリーンが囲われているタイプの他に、近年の市場の要請に応えるべく、デザイン性を追求した様々なタイプの平面型画像表示装置の普及が見込まれている。
【０００６】
デザイン性を追求した平面型画像表示装置の一例として、例えば、ガラスや樹脂等によって形成された透明な前面パネルを有し、該前面パネルの後側に配置された透明なブラケットにスクリーンを有する装置本体部が取り付けられているものが開発されつつある。このような平面型画像表示装置にあっては、透明なブラケットの前面に透明な前面パネルが配置されているため、平面型画像表示装置を視認したときにスクリーンが宙に浮いたような状態に見え、また、ベズルを有しないため視認者にとってはデザイン的に開放的な感覚を受ける。
【０００７】
このような前面パネルとブラケットを有するタイプの平面型画像表示装置は、ベズルを有さないため、前面パネルの全面に上記した赤外線吸収フィルムや兼用の機能膜を貼付することができる。
【０００８】
【発明が解決しようとする課題】
ところが、赤外線吸収フィルムや兼用の機能膜を前面パネルの全面に貼付してしまうと、受光部を前面パネルの背面側に配置した場合には、リモートコントロール装置から発光される赤外光が赤外線吸収フィルム又は機能膜によって吸収されてしまい、平面型画像表示装置に対する外部からの操作が不能となってしまう。
【０００９】
一方、受光部を前面パネルの前面側に配置してリモートコントロール装置による操作を可能とすることも考えられるが、この場合には、受光部が目立ってしまい平面型画像表示装置のデザイン性の悪化を来たしてしまうという不具合がある。
【００１０】
そこで、本発明は、良好なデザイン性を維持した上でリモートコントロール装置による操作を可能とすることを課題とする。
【００１１】
【課題を解決するための手段】
本発明平面型画像表示装置は、透明材料によって一体に形成された平板状の枠部と該枠部の内周縁に設けられた装置取付部とを有するブラケットと、透明材料によって略矩形状に形成されると共にブラケットの前面側に配置される平板状の前面パネルと、スクリーン面を有しブラケットの装置取付部に取り付けられる装置本体部とを設け、前面パネルの後面を、装置本体部のスクリーン面に対向し赤外線吸収フィルムが貼付された貼付部と、その外周部の赤外線吸収フィルムが貼付されない枠状をした非貼付部とによって構成し、前面パネルの非貼付部にブラケットの装置取付部を遮蔽する遮蔽層を形成し、遮蔽層にリモートコントロール装置から発光される赤外光が透過される透過孔を形成し、透過孔の後方に位置する部分に赤外光を受光する受光部を配置したものである。
【００１２】
従って、本発明平面型画像表示装置にあっては、前面パネルの非貼付部を介して受光部でリモートコントロール装置から発光された赤外光が受光される。
【００１３】
【発明の実施の形態】
以下に、本発明平面型画像表示装置の詳細を添付図面を参照して説明する。尚、以下に示した実施の形態は、スクリーンとしてプラズマディスプレイパネルが用いられた平面型画像表示装置に適用したものである。
【００１４】
平面型画像表示装置１は、前面パネル２とブラケット３と装置本体部４とを備えている（図１参照）。
【００１５】
前面パネル２は横長の矩形状に形成され、ガラス、ポリカーボネート、アクリル等の透明材料によって形成されている。前面パネル２の前面５の全面には、外光の反射を防止するための反射防止フィルム６が貼付されている（図２参照）。
【００１６】
前面パネル２の後面７は、貼付部７ａと非貼付部７ｂとによって構成されており、後面７の外周部を除く部分が貼付部７ａとされ外周部が非貼付部７ｂとされている（図２参照）。前面パネル２の貼付部７ａには、赤外線吸収フィルム８が貼付されている。従って、非貼付部７ｂには赤外線吸収フィルム８は貼付されていない。
【００１７】
前面パネル２の非貼付部７ｂには、その外周縁を除く部分に枠状を為す遮蔽層９が設けられている（図２及び図３参照）。遮蔽層９は、例えば、黒色のセラミック印刷によって形成されている。従って、前面パネル２を正面側から視認したときには、遮蔽層９によって、その後側の部分が遮蔽されて見えないようにされている。
【００１８】
遮蔽層９の後面には、枠状を為す導電層１０が設けられている（図２参照）。導電層１０は遮蔽層９の外周部及び内周部を除く部分に設けられている。導電層１０は、例えば、金属材料によって形成されたメッシュ状のフィルム層であり、後述する金属製の本体用カバーが取り付けられてアースをとる役割を果たすものである。
【００１９】
遮蔽層９の導電層１０が設けられていない部分のうち内周側の部分には、赤外線吸収フィルム８の外周縁が後方側から貼付されている（図２参照）。
【００２０】
遮蔽層９の導電層１０が設けられていない部分のうち外周側の部分には、例えば、マスキング技術によって径の小さな透過孔９ａが形成されている（図２及び図３参照）。透過孔９ａは、リモートコントロール装置１００から発光された赤外光を透過させるための孔である（図２参照）。透過孔９ａは、例えば、遮蔽層９の右下側の部分に形成されている（図３参照）が、透過孔９ａの形成位置は任意であり、遮蔽層９のうち赤外線吸収フィルム８及び導電層１０が設けられていない部分であれば何れの位置に形成してもよい。
【００２１】
ブラケット３は枠部１１と装置取付部１２と部品取付部１３、１３、・・・とが、例えば、ポリカーボネート、アクリル等の透明な樹脂材料によって一体に形成されている（図１、図４乃至図６参照）。
【００２２】
枠部１１は外形が前面パネル２より一回り大きい横長の矩形状に形成され、上下に延び左右に位置する垂直部１４、１４と左右に延び上下に位置する水平部１５、１５とによって厚みの薄い形状に形成されている。枠部１１には前面パネル２が配置される浅い配置凹部１１ａが形成され、該配置凹部１１ａは上方及び前方に開口されている（図１及び図５参照）。
【００２３】
配置凹部１１ａが形成されることにより、枠部１１には、その下端部に左右に長く前方へ突出された載置部１１ｂが設けられている（図１、図５及び図７参照）。
【００２４】
枠部１１の前面の外周縁及び内周縁には、それぞれ前方へ突出されたリブ１６、１７が設けられている（図５及び図７参照）。リブ１６、１７には、それぞれ４つずつの配置用切欠１６ａ、１６ａ、・・・、１７ａ、１７ａ、・・・が形成されている（図８参照）。配置用切欠１６ａ、１６ａ、・・・は垂直部１４、１４の上下方向における略中央部に位置するリブ１６の部分に形成され、２つずつが上下に離間して形成されている。配置用切欠１７ａ、１７ａ、・・・は、それぞれ配置用切欠１６ａ、１６ａ、・・・の内側の位置に形成されている。
【００２５】
枠部１１の垂直部１４、１４には、それぞれ２つずつの第１の端子取付部１８、１８、・・・が設けられている（図８参照）。第１の端子取付部１８、１８、・・・は、それぞれリブ１６、１６の配置用切欠１６ａ、１６ａ、・・・の直ぐ外側の位置に設けられている。第１の端子取付部１８、１８、・・・にはそれぞれ前方に開口されたネジ穴１８ａ、１８ａ、・・・が形成されている。
【００２６】
装置取付部１２は枠部１１の内周縁から後方へ突出されて設けられている（図１及び図６等参照）。
【００２７】
装置取付部１２の前縁には、それぞれ左右に２つずつの第２の端子取付部１９、１９、・・・が設けられている（図８参照）。第２の端子取付部１９、１９、・・・は、それぞれリブ１７、１７の配置用切欠１７ａ、１７ａ、・・・の直ぐ内側の位置に設けられている。第２の端子取付部１９、１９、・・・は、それぞれ前方に開口されたネジ穴１９ａ、１９ａ、・・・と、前方へ突出された第１の位置決め突部１９ｂ、１９ｂ、・・・と、同じく前方へ突出された第２の位置決め突部１９ｃ、１９ｃ、・・・とを有している。
【００２８】
部品取付部１３、１３、・・・は、それぞれ枠部１１の上下両端部から左方又は右方へ突出されて設けられている（図１、図５及び図６参照）。
【００２９】
部品取付部１３、１３、・・・の後面には、それぞれ被保持用係合部として機能する係合溝２０、２０、・・・が形成されている（図６参照）。係合溝２０は、部品取付部１３の上面又は下面に開口され略上下に延びる導入部２０ａと、該導入部２０ａに連続し左右に延びるストッパー部２０ｂとから成り、導入部２０ａは部品取付部１３の上面又は下面に近付くに従って溝幅が広くなるように形成されている。
【００３０】
ブラケット３の第１の端子取付部１８、１８、・・・と第２の端子取付部１９、１９、・・・との間には、それぞれ導電部材２１、２１、・・・が取り付けられる（図８及び図９参照）。
【００３１】
導電部材２１は第１の端子部２２と第２の端子部２３とが左右に長い連結部２４によって連結されて成り、板状の金属材料によって形成されている。第１の端子部２２は連結部２４の外側の端部に連結され、連結部２４に連続する被取付部２２ａと該被取付部２２ａから上方又は下方へ突出された接続部２２ｂとから成り、被取付部２２ａにネジ挿通孔２２ｃが形成されている。第２の端子部２３は連結部２４の内側の端部に連結され、連結部２４に連続する被取付部２３ａと該被取付部２３ａから斜め後方へ突出された接続部２３ｂとから成る。被取付部２３ａにはネジ挿通孔２３ｃ、第１の位置決め孔２３ｄ及び第２の位置決め孔２３ｅがそれぞれ形成されている。
【００３２】
ブラケット３には上記した導電部材２１、２１、・・・の他に、アース用配線シート２５、２５が取り付けられる（図８及び図９参照）。アース用配線シート２５は横長の枠状を為すベース部２６と該ベース部２６から右方又は左方へ突出された接続用突部２７、２８とが導電性を有するシート状の材料によって形成されている。
【００３３】
ベース部２６は上下に延び左右に位置する短手部２６ａ、２６ａと左右に延び上下に位置する長手部２６ｂ、２６ｂとから成り、接続用突部２７が外側に位置する長手部２６ｂの上下方向における略中央部から外方へ突出され、接続用突部２８が内側に位置する長手部２６ｂの上下方向における略中央部から内方へ突出されている。
【００３４】
アース用配線シート２５は、接続用突部２７、２８の各先端部を除く部分が絶縁用ラミネート２９によって被覆されている（図８参照）。
【００３５】
以下に、ブラケット３への導電部材２１、２１、・・・とアース用配線シート２５、２５の取付手順を説明する（図８及び図９参照）。尚、例として、右側に位置される導電部材２１、２１とアース用配線シート２５とを取り付ける際の手順について説明する。
【００３６】
先ず、アース用配線シート２５の長手部２６ｂ、２６ｂをブラケット３のリブ１６、１７の配置用切欠１６ａ、１７ａ、１６ａ、１７ａに挿入して配置する。
【００３７】
次に、導電部材２１、２１の連結部２４、２４を、それぞれアース用配線シート２５の長手部２６ｂ、２６ｂに前方から重ね合わせて配置用切欠１６ａ、１７ａ、１６ａ、１７ａに挿入する。
【００３８】
このとき、ブラケット３の第２の端子取付部１９、１９の第１の位置決め突部１９ｂ、１９ｂと第２の位置決め突部１９ｃ、１９ｃとを、それぞれ導電部材２１、２１の第１の位置決め孔２３ｄ、２３ｄと第２の位置決め孔２３ｅ、２３ｅとに挿入し、各ネジ挿通孔２２ｃ、２２ｃ、２３ｃ、２３ｃを挿通された取付ネジ３０、３０、・・・を各ネジ穴１８ａ、１８ａ、１９ａ、１９ａに螺合し、被取付部２２ａ、２２ａ、２３ａ、２３ａをそれぞれ第１の端子取付部１８、１８と第２の端子取付部１９、１９に取り付ける。
【００３９】
最後に、導電部材２１、２１の各接続部２２ｂ、２２ｂ、２３ｂ、２３ｂ及びアース用配線シート２５の各接続用突部２７、２８の先端部を、それぞれ図示しない所定の接続端子やリード線等に接続する。
【００４０】
上記のように、ブラケット３への導電部材２１、２１、・・・及びアース用配線シート２５、２５の取付は、アース用配線シート２５、２５を所定の位置に配置し、その前側から導電部材２１、２１、・・・を重ね合わせてネジ止めするだけであるため、取付が容易であり取付作業における作業性の向上を図ることができる。
【００４１】
前面パネル２とブラケット３は保持部材３１、３１によって結合された状態で保持される（図１及び図７参照）。
【００４２】
保持部材３１は左右方向に長く形成され、その長さがブラケット３の左右に位置する部品取付部１３、１３の外端間の間隔と略同じに形成されている。保持部３１は、基部３２と、該基部３２の前縁からこれと直交する方向へ突出された前側挟持部３３と、基部３２の後縁からこれと直交する方向へ突出され前側挟持部３２に対向して位置された後側挟持部３４とが、金属材料によって一体に形成されて成る（図１０及び図１１参照）。
【００４３】
前側挟持部３３の内面には、左右に延び後側挟持部３４側へ突出された押し当てリブ３３ａ、３３ａが上下に離間して設けられている。後側挟持部３４の内面には、前側挟持部３３側へ突出された係合突部３４ａ、３４ａが設られている。係合突部３４ａ、３４ａは、それぞれ後側挟持部３４の左端寄りの位置と右端寄りの位置とに設けられ、ブラケット３に形成された係合溝２０、２０に挿入されて係合される保持用係合部として機能する。
【００４４】
以下に、前面パネル２とブラケット３との結合の手順を説明する（図１２乃至図１４参照）。尚、例として、上側に位置される保持部材３１によって前面パネル２とブラケット３を結合する際の手順について説明する。
【００４５】
先ず、前面パネル２をブラケット３の配置凹部１１ａに挿入して配置する。このとき前面パネル２はブラケット３の下端部に設けられた載置部１１ｂに載置されるため、前面パネル２を配置凹部１１ａに容易に配置することができ、また、前面パネル２のブラケット３からの脱落を防止することができる。
【００４６】
次に、保持部材３１の係合突部３４ａ、３４ａを、それぞれブラケット３の係合溝２０、２０の導入部２０ａ、２０ａの上方に位置させ（図１２参照）、保持部材３１を押し下げて係合突部３４ａ、３４ａをそれぞれ導入部２０ａ、２０ａに挿入する（図１３参照）。導入部２０ａ、２０ａは、上記したように、上方へ行くに従って溝幅が広くなるように形成されているため、係合突部３４ａ、３４ａの導入部２０ａ、２０ａの挿入を容易に行うことができる。
【００４７】
次いで、保持部材３１をブラケット３の上縁に沿ってスライドさせ、係合突部３４ａ、３４ａをそれぞれストッパー部２０ｂ、２０ｂに挿入して係合する（図１４参照）。
【００４８】
他方の保持部材３１も上記と同様に係合突部３４ａ、３４ａをそれぞれストッパー部２０ｂ、２０ｂに挿入して係合し、前面パネル２とブラケット３との結合作業を完了する。
【００４９】
以上のようにして、保持部材３１、３１によって前面パネル２とブラケット３を結合した状態においては、保持部材３１、３１に設けられた押し当てリブ３３ａ、３３ａが前面パネル２の前面５の上下両端部にそれぞれ押し当てられている（図７参照）。従って、前面パネル２と保持部材３１、３１との接触部分が小さくなり、前面パネル２と保持部材３１、３１とのこすれによる粉塵等が発生し難い。また、粉塵等が発生したとしても、該粉塵等が保持部材３１、３１の内部に残留するため、平面型画像表示装置１を視認したときに粉塵等が目立つことがなく、平面型画像表示装置１の良好なデザイン性の維持を図ることができる。
【００５０】
また、前面パネル２とブラケット３が結合された状態においては、前面パネル２がブラケット３に設けられたリブ１６、１７に押し付けられ、前面パネル２とブラケット３とが僅かな隙間を置いて配置される（図７参照）。従って、前面パネル２とブラケット３とのこすれによる粉塵等が発生し難く、また、両者の摩耗を防止することができる。
【００５１】
さらに、前面パネル２とブラケット３が結合された状態においては、ブラケット３に設けられたリブ１６が保持部材３１、３１によって遮蔽される（図７参照）。従って、前面パネル２の下面とブラケット３の載置部１１ｂとのこすれや前面パネル２とリブ１６とのこすれ等によりたとえ粉塵等が発生したとしても、該粉塵等が保持部材３１、３１の内部に残留するため、平面型画像表示装置１を視認したときに粉塵等が目立つことがなく、平面型画像表示装置１の良好なデザイン性の維持を図ることができる。
【００５２】
尚、平面型画像表示装置１にあっては、リブ１６の上下に延び左右に位置する部分が後述するスピーカーユニットによって遮蔽され、リブ１７が遮蔽層９によって遮蔽される。従って、これらのリブ１６、１７が位置する部分に粉塵等が発生しても、該粉塵が遮蔽されて平面型画像表示装置１を視認したときに目立つことがない。
【００５３】
以上に記載した通り、前面パネル２とブラケット３との結合は、保持部材３１、３１の係合突部３４ａ、３４ａ、・・・とブラケット３の係合溝２０、２０、・・・との係合により簡易に行うことができるため、結合作業における作業性の向上を図ることができる。
【００５４】
また、接着によって前面パネル２とブラケット３を結合する場合のように、経年変化等による剥がれ等の不具合や接着剤の変色によるデザイン性の悪化という不具合を生じることがない。
【００５５】
さらに、前面パネル２とブラケット３との結合は、保持部材３１、３１を所定の方向へスライドし係合突部３４ａ、３４ａ、・・・をブラケット３の係合溝２０、２０、・・・のストッパー部２０ｂ、２０ｂ、・・・に係合するだけで行うことができるため、作業の容易化及び作業時間の短縮化を図ることができる。
【００５６】
加えて、保持部材３１、３１の内面に係合突部３４ａ、３４ａ、・・・が設けられているため、保持部材３１、３１によって前面パネル２とブラケット３とが結合された状態においては、係合突部３４ａ、３４ａ、・・・と係合溝２０、２０、・・・とが係合された部分が視認されず、平面型画像表示装置１の良好なデザイン性の維持を図ることができる。
【００５７】
尚、上記には、保持部材３１、３１に係合突部３４ａ、３４ａ、・・・を設け、ブラケット３に係合溝２０、２０、・・・を形成した例を示したが、逆に、保持部材３１、３１に係合溝を形成し、ブラケット３に係合突部を設けて両者を係合するようにしてもよい。
【００５８】
また、ブラケット３に代えて、前面パネル２に係合突部又は係合溝を形成し、保持部材３１、３１に形成した係合溝又は係合突部と係合するようにしてもよい。
【００５９】
さらには、係合溝に代えて係合穴を形成し被保持用係合部として用いることも可能である。
【００６０】
上記のようにして前面パネル２とブラケット３とが結合された状態においては、先にブラケット３に一部が重ねられた状態で取り付けられている導電部材２１、２１、・・・とアース用配線シート２５、２５とが前面パネル２とブラケット３との境界部に配置される（図１５参照）。従って、前面パネル２とブラケット３との境界部には導電部材２１、２１、・・・とアース用配線シート２５、２５とが配置される配置空間が形成されることになり、この配置空間は各種の電気信号の経路となる信号路３５、３５とされる（図１５参照）。
【００６１】
装置本体部４は、その前面にスクリーン面４ａを有し、スクリーンとしてプラズマディスプレイパネル（ＰＤＰ）が用いられている。装置本体部４には、ＰＤＰの駆動を行うための図示しない駆動回路が設けられている。
【００６２】
装置本体部４の前面には、例えば、その右下の位置にリモートコントロール操作による赤外光を受光する受光部３６が設けられている（図１及び図２参照）。
【００６３】
装置本体部４は、ブラケット３の装置取付部１２にネジ止め等の適宜の手段によって取り付けられる。装置本体部４が装置取付部１２に取り付けられた状態においては、スクリーン面４ａに対向して前面パネル２の貼付部７ａに貼付された赤外線吸収フィルム８が位置され、受光部３６の前方に、前面パネル２に設けられた遮蔽層９に形成された透過孔９ａが位置される（図２参照）。
【００６４】
装置本体部４が装置取付部１２に取り付けられた状態においては、前面パネル２に設けられた遮蔽層９によって、装置本体部４の装置取付部１２への取付部分及びブラケット３の内周側の部分が遮蔽され、装置本体部４の装置取付部１２への取付部分及びブラケット３のリブ１７から内側の部分が正面から視認できないようになっている。
【００６５】
上記のように、平面型画像表示装置１にあっては、赤外線吸収フィルム８を前面パネル２のスクリーン面４ａに対向する貼付部７ａにのみ貼付し、非貼付部７ｂの後方に受光部３６が配置されるようにしている（図２参照）。従って、スクリーンを保持するベズルと称される保持枠を必要としない平面型画像表示装置１においても、リモートコントロール装置１００による外部からの操作を行うことができ、平面型画像表示装置１の機能性の向上を図ることができる。
【００６６】
また、受光部３６を前面パネル２の前面側に配置する必要がなく、平面型画像表示装置１の良好なデザイン性の維持を図ることができる。
【００６７】
さらに、平面型画像表示装置１にあっては、前面パネル２にブラケット３の装置取付部１２を遮蔽する遮蔽層９を形成し、該遮蔽層９にリモートコントロール装置１００から発光される赤外光が透過される径の小さな透過孔９ａを形成しているため、遮蔽層９による遮蔽機能とリモートコントロール装置１００による操作機能との両立を図ることができる。
【００６８】
装置本体部４が装置取付部１２に取り付けられるときには、ブラケット３に取り付けられた導電部材２１、２１、・・・の第２の端子部２３、２３、・・・が所定の接続端子やリード線等を介して装置本体部４の図示しない制御回路に接続される。
【００６９】
装置本体部４が装置取付部１２に取り付けられた状態において、ブラケット３の後面に装置本体部４を覆う本体用カバー３７が取り付けられる（図１参照）。本体用カバー３７には電源コード等を引き出すための引出孔３７ａが形成されている。
【００７０】
ブラケット３の左右両端部には、それぞれスピカーユニット３８、３８が取り付けられる（図１、図３及び図４参照）。スピーカーユニット３８、３８はブラケット３の部品取付部１３、１３、・・・に取り付けられる。
【００７１】
スピーカーユニット３８はスピーカーグリル３９とスピーカーボックス４０とスピーカーケース４１とを備え、該スピーカーケース４１に図示しないスピーカーが配置されている。スピーカーは、電気信号を受信して音声を出力する機能を発揮する機能部としての役割を有している。スピーカーユニット３８は、スピーカーグリル３９とスピーカーボックス４０とがブラケット３の上下に位置する部品取付部１３、１３を前後で挟むようにして配置され、スピーカーボックス４０の後面にスピーカーケース４１が取り付けられる。
【００７２】
ブラケット３にスピーカーユニット３８、３８が取り付けられた状態においては、スピーカーグリル３９、３９とスピーカーボックス４０、４０とによって保持部材３１、３１の左右両端部が前後から挟持されて閉塞される（図４参照）。
【００７３】
ブラケット３にスピーカーユニット３８、３８が取り付けられた状態においては、スピーカーグリル３９、３９によって枠部１１の左右両端部が遮蔽され、ブラケット３のリブ１６から外側の部分が正面から視認できないようになっている。
【００７４】
このようにスピーカーグリル３９によって枠部１１の左右両端部が遮蔽され、また、上記したように、前面パネル２に設けられた遮蔽層９によってブラケット３の内周側の部分が遮蔽されるため、平面型画像表示装置１を正面から視認したときには、前面パネル２の左右両端部に対応する透明部分には、導電部材２１、２１、・・・の細幅の直線状に形成された連結部２４、２４、・・・のみしか見えない（図３参照）。従って、平面型画像表示装置１の良好なデザイン性が維持され、見た目の違和感を来たすことがない。
【００７５】
スピーカーユニット３８、３８が部品取付部１３、１３、・・・に取り付けられるときには、ブラケット３に取り付けられた導電部材２１、２１、・・・の第１の端子部２２、２２、・・・が所定の接続端子やリード線等を介してスピーカーの図示しない音声出力回路に接続される。
【００７６】
以上に記載した通り、平面型画像表示装置１にあっては、装置本体部４とスピーカーとの間の電気信号の送受信を行うための信号路３５、３５、・・・を前面パネル２とブラケット３の境界部に形成したので、導電部材２１、２１、・・・やアース用配線シート２５、２５が剥き出しとなるようなことがない。また、導電部材２１、２１、・・・やアース用配線シート２５、２５が剥き出しとなることがないため導電部材２１、２１、・・・やアース用配線シート２５、２５を覆うカバーも必要とせず、部品点数の削減による製造コストの低減を図ることができる。
【００７７】
また、信号路３５、３５、・・・が前面パネル２やブラケット３の外面側に存在しないため、平面型画像表示装置１を視認したときに見た目の違和感がなく、平面型画像表示装置１の良好なデザイン性を維持することができる。
【００７８】
さらに、平面型画像表示装置１にあっては、金属板によって形成された導電部材２１、２１、・・・を信号路３５、３５に配置して電気信号の送受信を行うようにしているため、電気信号の送受信を確実に行うことができ、電気信号の送受信を行うためにリード線、導電シート、導電性の印刷層を用いた場合のような電流容量の不足を生じることがない。
【００７９】
さらにまた、アース用配線シート２５、２５も信号路３５、３５、・・・に配置しているため、導電部材２１、２１、・・・を配置するためのスペースの他にアース用配線シート２５、２５を配置するための別のスペースを必要としない。
【００８０】
加えて、導電部材２１、２１、・・・の連結部２４、２４、・・・をアース用配線シート２５、２５の長手部２６ｂ、２６ｂ、・・・に前後で重ね合わせた状態で信号路３５、３５、・・・に配置しているため、導電部材２１、２１、・・・とアース用配線シート２５、２５とを信号路３５、３５、・・・に配置するための作業が容易であると共に、アース用配線シート２５、２５が導電部材２１、２１、・・・によって遮蔽されるため、平面型画像表示装置１を視認したときに見た目の違和感がなく、平面型画像表示装置１の良好なデザイン性を維持することができる。
【００８１】
尚、上記には、導電部材２１、２１、・・・の連結部２４、２４、・・・の後側にアース用配線シート２５、２５の長手部２６ｂ、２６ｂ、・・・を重ね合わせた例を示したが、逆に、導電部材２１、２１、・・・の連結部２４、２４、・・・の前側にアース用配線シート２５、２５の長手部２６ｂ、２６ｂ、・・・を重ね合わせるようにしてもよい。
【００８２】
上記には、信号路３５、３５、・・・に導電部材２１、２１、・・・及びアース用配線シート２５、２５を配置した例を示したが、例えば、これらに代えて信号路３５、３５、・・・に透明の導電部材を配置することも可能である。透明な導電部材を配置することにより、平面型画像表示装置１を視認したときに見た目の違和感が全くなくなり、平面型画像表示装置１の良好なデザイン性を維持することができる。
【００８３】
また、例えば、信号路３５、３５、・・・を赤外光の光路として形成し、赤外光を介して装置本体部４とスピーカーとの間の電気信号の送受信を行うようにすることも可能である。このように赤外光を用いれば、信号路３５、３５、・・・に導電部材２１、２１、・・・等の有体物を配置する必要がなく、平面型画像表示装置１を視認したときに見た目の違和感が全くなくなり、平面型画像表示装置１の良好なデザイン性を維持することができる。
【００８４】
さらに、赤外光を用いれば、リブ１６、１７に配置用切欠１６ａ、１６ａ、・・・、１７ａ、１７ａ、・・・を形成する必要もなく、例えば、ブラケット３の内部を信号路として利用することもできる。
【００８５】
尚、上記には、電気信号を受信して音声出力を行うスピーカーを機能部の例として説明したが、機能部は、電気信号を送受信して所定の機能を発揮する部分であればよく、例えば、機能部としては、指令信号を受信して作動する各種の信号入出力部、音声の入力が行われるマイクロフォン、指令信号を送信する各種の操作部等であってもよい。
【００８６】
上記した実施の形態において示した各部の形状及び構造は、何れも本発明を実施するに際して行う具体化のほんの一例を示したものにすぎず、これらによって本発明の技術的範囲が限定的に解釈されることがあってはならないものである。
【００８７】
【発明の効果】
以上に記載したところから明らかなように、本発明平面型画像表示装置は、透明材料によって一体に形成された平板状の枠部と該枠部の内周縁に設けられた装置取付部とを有するブラケットと、透明材料によって略矩形状に形成されると共にブラケットの前面側に配置される平板状の前面パネルと、スクリーン面を有しブラケットの装置取付部に取り付けられる装置本体部とを備え、前面パネルの後面は、装置本体部のスクリーン面に対向し赤外線吸収フィルムが貼付された貼付部と、その外周部の赤外線吸収フィルムが貼付されない枠状をした非貼付部とによって構成され、前面パネルの非貼付部にブラケットの装置取付部を遮蔽する遮蔽層を形成し、遮蔽層にリモートコントロール装置から発光される赤外光が透過される透過孔を形成し、透過孔の後方に位置する部分に、赤外光を受光する受光部が配置されたことを特徴とする。
【００８８】
従って、スクリーンを保持するベズルと称される保持枠を必要としない平面型画像表示装置においても、リモートコントロール装置による外部からの操作を行うことができ、平面型画像表示装置の機能性の向上を図ることができる。さらに、前面パネルの非貼付部にブラケットの装置取付部を遮蔽する遮蔽層を形成し、該遮蔽層にリモートコントロール装置から発光される赤外光が透過される透過孔を形成したので、遮蔽層による遮蔽機能とリモートコントロール装置による操作機能との両立を図ることができる。
【００８９】
また、受光部を前面パネルの前面側に配置する必要がなく、平面型画像表示装置の良好なデザイン性の維持を図ることができる。
【図面の簡単な説明】
【図１】図２乃至図１５と共に本発明の実施の形態を示すものであり、本図は平面型画像表示装置の概略分解斜視図である。
【図２】前面パネルと受光部との位置関係を示す拡大断面図である。
【図３】平面型画像表示装置の正面図である。
【図４】平面型画像表示装置の平面図である。
【図５】ブラケットの正面図である。
【図６】ブラケットの背面図である。
【図７】前面パネルとブラケットとが保持部材によって結合された状態を示す拡大断面図である。
【図８】導電部材とアース用配線シートとブラケットの一部とを示す拡大分解斜視図である。
【図９】ブラケットに導電部材とアース用配線シートが取り付けられた状態を示す拡大斜視図である。
【図１０】保持部材の拡大斜視図である。
【図１１】保持部材の拡大断面図である。
【図１２】図１３及び図１４と共に保持部材の係合突部がブラケットの係合溝に係合されるときの手順を示すものであり、本図は係合溝の上方に係合突部が位置された状態を示す概念図である。
【図１３】係合突部が係合溝の導入部に挿入された状態を示す概念図である。
【図１４】係合突部が係合溝のストッパー部に係合された状態を示す概念図である。
【図１５】前面パネルとブラケットが結合されて信号路が形成された状態を示す拡大断面図である。
【符号の説明】
１…平面型画像表示装置、２…前面パネル、３…ブラケット、４…装置本体部、４ａ…スクリーン面、６…反射防止フィルム、７…後面、７ａ…貼付部、７ｂ…非貼付部、８…赤外線吸収フィルム、９…遮蔽層、９ａ…透過孔、１１…枠部、１２…装置取付部、３６…受光部、１００…リモートコントロール装置
【図１】
0003633594.tif 000002
【図２】
0003633594.tif 000003
【図３】
0003633594.tif 000004
【図４】
0003633594.tif 000005
【図５】
0003633594.tif 000006
【図６】
0003633594.tif 000007
【図７】
0003633594.tif 000008
【図８】
0003633594.tif 000009
【図９】
0003633594.tif 000010
【図１０】
0003633594.tif 000011
【図１１】
0003633594.tif 000012
【図１２】
0003633594.tif 000013
【図１３】
0003633594.tif 000014
【図１４】
0003633594.tif 000015
【図１５】
0003633594.tif 000016